(57)【要約】【課題】  ハウジングのサイズアップを図ることなく、「ねじり」や「こじり」等による変形量を小さく抑えることが可能な構成の立設型コネクタを提供する。【解決手段】  プラグ部差込口２１を基板５０とは反対の側に有したレセプタクルハウジング２０と、レセプタクルハウジング２０の両側壁２６，２６それぞれに取り付けられてレセプタクルハウジング２０を基板５０に固定する２つの固定金具４０，４０とを有して構成される立設型コネクタ１０において、各固定金具４０は、レセプタクルハウジング２０の側壁２６の外方を基板５０とは反対の方向に延びるとともに、上端部に形成されたコの字形状部４２においてレセプタクルハウジング２０のプラグ部差込口２１の近傍位置を覆っている。【選択図】        図１
2006156019.tif 000002
【特許請求の範囲】
【請求項１】
基板上に取り付けられ、相手方コネクタとの係脱方向が前記基板に対して垂直である立設型コネクタにおいて、
前記相手方コネクタとの結合部を前記基板とは反対の側に有したハウジングと、
前記結合部側から見た前記ハウジングの長寸法方向に対向して位置する両側壁それぞれに取り付けられて前記ハウジングを前記基板に固定する２つの固定金具とを有し、
前記各固定金具は、前記ハウジングの前記側壁の外方を前記基板とは反対の方向に延びるとともに、端部に形成されたコの字形状部において、前記ハウジングの前記結合部の近傍位置を覆っていることを特徴とする立設型コネクタ。
【発明の詳細な説明】
【技術分野】
【０００１】
本発明は、基板上に取り付けられ、相手方コネクタとの係脱方向が基板に対して垂直である立設型コネクタに関する。
【背景技術】
【０００２】
コネクタには種々の形態のものがあり、相手方コネクタとハウジング同士を嵌合させて互いのコンタクトを接触させる嵌合型のものや、情報が記録されたＩＣカードを受容してそのＩＣカードの表面上に設けられた平板状コンタクトと自己のコンタクトとを接触させるカード受容型のもの等が知られている。また、これらコネクタは、コンタクトが電線に接続された電線接続型のもののほか、ハウジングが基板上に固定されるとともに、コンタクトが基板上の配線パターンに接続された基板接続型のものが知られている。
【０００３】
また、基板接続型のコネクタには、相手方コネクタとの係脱方向が基板と平行な横設型（アングルタイプ）と、基板に対して垂直な立設型（ストレートタイプ）とがある。基板接続型のコネクタでは、ハウジングは直接基板上に取り付けられるが、その取り付けは、ハウジングの下面に形成された突起が基板上に形成された位置決め穴内に挿入されたうえで、ハウジングの基板近傍位置に取り付けられた固定金具を基板上の所定位置に取り付けて行われる。
【特許文献１】特開平１０−１７２６３１号公報
【特許文献２】実開平５−２３４２９号公報
【発明の開示】
【発明が解決しようとする課題】
【０００４】
しかしながら、基板接続型のコネクタでは、上記のようにハウジングが固定金具により基板上に固定される構成を有していても、ハウジングが基板に対して垂直に延びて配置される立設型のものでは、ハウジングが基板に沿って配置される横設型のものに比べて相手方コネクタとの係脱時に「ねじり」や「こじり」による曲げや捻り等の外荷重を受けたときの変形量は大きくなる。このため立設型のコネクタにおいてハウジングの変形が過大になるのを防止するためにはハウジングをサイズアップせざるを得ず、そのコネクタを備える装置を大型化させてしまうという問題が生じる。
【０００５】
本発明はこのような問題に鑑みてなされたものであり、ハウジングのサイズアップを図ることなく、相手方コネクタとの係脱時に「ねじり」や「こじり」による外荷重が作用したとしても変形が過大になることのない構成の立設型コネクタを提供することを目的としている。
【課題を解決するための手段】
【０００６】
本発明に係る立設型コネクタは、基板上に取り付けられ、相手方コネクタ（例えば、実施形態におけるプラグ型コネクタ１１０）との係脱方向が基板に対して垂直である立設型コネクタ（例えば、実施形態におけるレセプタクル型コネクタ１０）において、相手方コネクタとの結合部（例えば、実施形態におけるプラグ部差込口２１）を基板とは反対の側に有したハウジング（例えば、実施形態におけるレセプタクルハウジング２０）と、上記結合部側から見たハウジングの長寸法方向に対向して位置する両側壁それぞれに取り付けられてハウジングを基板に固定する２つの固定金具とを有し、各固定金具は、ハウジングの側壁の外方を基板とは反対の方向に延びるとともに、端部に形成されたコの字形状部において、ハウジングの上記結合部の近傍位置を覆っている。
【発明の効果】
【０００７】
本発明に係る立設型コネクタでは、相手方コネクタとの結合部側から見たハウジングの長寸法方向に対向して位置する両側壁それぞれに取り付けられてハウジングを基板に固定する固定金具が、ハウジングの側壁の外方を基板とは反対の方向に延びるとともに、端部に形成されたコの字形状部において、ハウジングの上記結合部の近傍位置を覆っている。このため、相手方コネクタとの係脱時に「ねじり」や「こじり」による曲げや捻り等の外荷重が作用したとしても、ハウジングの結合部近傍位置は固定金具のコの字形状部に支持されることになるので、ハウジングの変形量は小さく抑えられる。また、このような構成はハウジングのサイズアップを伴わないので、この立設型コネクタを備える装置の大型化を防止すること（或いは装置の小型化を図ること）ができる。
【発明を実施するための最良の形態】
【０００８】
以下、図面を参照して本発明の好ましい実施形態について説明する。図１〜図６は本発明に係る立設型コネクタの一実施形態としてのレセプタクル型コネクタ１０を示している。このレセプタクル型コネクタ１０は、相手方コネクタ（後述するプラグ型コネクタ１１０。図７〜図１０参照）との係脱方向が基板５０に対して垂直である立設型コネクタとして構成されており、基板５０上に取り付けられて相手方コネクタとの結合部（プラグ部差込口２１）を基板５０とは反対の側に有したレセプタクルハウジング２０と、レセプタクルハウジング２０に保持された複数（ここでは１０個）のレセプタクル側コンタクト３０と、レセプタクルハウジング２０に取り付けられた２つの固定金具４０とを有して構成されている。以下の説明では便宜上、図１に示すように、相手方コネクタとの結合部、すなわちプラグ部差込口２１側から見た長寸法方向をレセプタクルハウジング２０の幅方向（或いは左右方向）、プラグ部差込口２１側から見た短寸法方向をレセプタクルハウジング２０の厚さ方向（或いは前後方向）、基板５０と垂直な方向をレセプタクルハウジング２０の高さ方向（或いは上下方向）と定義する。
【０００９】
レセプタクルハウジング２０は樹脂等の電気絶縁性材料により全体として直方体形状に構成されており、下面が基板５０上に取り付けられている。レセプタクルハウジング２０の内部に形成された受容空間（相手方コネクタであるプラグ型コネクタ１１０を受容する空間）Ｓは、図１及び図２に示すように、プラグ部差込口２１側（上方）から見た短寸法方向（前後方向）に対向して位置する前壁２２及び後壁２５と、プラグ部差込口２１側から見た長寸法方向（左右方向）に対向して位置する左右の側壁２６，２６とにより囲まれた空間からなっており、プラグ部差込口２１はこの受容空間Ｓへの入り口となっている。
【００１０】
各レセプタクル側コンタクト３０は金属等の導電性材料から構成されており、図２、図４及び図５に示すように、レセプタクルハウジング２０の前壁２２に上下方向に延びて取り付けられている。各レセプタクル側コンタクト３０は図４に詳しく示すように、その中間部３１がレセプタクルハウジング２０の前壁２２に上下方向に延びて設けられたコンタクト取り付け溝２３内に圧入されており、中間部３１より上方に延びて形成された弾性部３２は、前壁２２に垂直な方向（レセプタクルハウジング２０の厚さ方向。図４の紙面左右方向）に弾性変形できるようになっている。弾性部３２の先端部（上端部）において湾曲形成された接触部３３は、このレセプタクル型コネクタ１０がプラグ型コネクタ１１０と結合したときに、プラグ側コンタクト１４０の接触部１４１と接触する（後述）が、この接触の際、接触部３３がプラグ側コンタクト１４０により押圧されて、弾性部３２全体が前壁２２の外側方向（図４の紙面左方）に弾性変形するようになっている。なお、レセプタクルハウジング２０の前壁２２に形成された複数（ここではレセプタクル側コンタクト３０の数と同じで１０個）の貫通穴２４は、接触部３３が前壁２２と干渉（接触）しないようにするための逃げ穴である。また、各レセプタクル側コンタクト３０の中間部３１より下方に延びて形成されたリード部３４は、前壁２２の外側方向（図４の紙面左方）に向けて屈曲して延びており、その下面は基板５０の配線パターン５１上に半田付け等により接合されている（図１参照）。
【００１１】
また、レセプタクルハウジング２０の後壁２５には複数（ここでは３つ）の係止窪み（係止穴）２５ａが左右方向に並んで設けられている。これら係止窪み２５ａは、後述するように、このレセプタクル型コネクタ１０にプラグ型コネクタ１１０が結合されたとき、プラグ型コネクタ１１０のプラグ部１２１に形成された係止突起１２１ａ（図１１参照）が嵌入するところである。
【００１２】
レセプタクルハウジング２０の幅方向（左右）両端部には計４つのベース部２７が左右方向に延びて設けられており、基板５０上にはこれら４つのベース部２７の下面のみが接触するようになっている。レセプタクルハウジング２０の各ベース部２７との間には固定金具取り付け溝２９（図６参照）が設けられており、各固定金具４０はこれら固定金具取り付け溝２９内に上方から挿入されて取り付けられている。各固定金具４０は図６に示すように、レセプタクルハウジング２０のベース部２７に固定支持される中間部４１と、この中間部４１より上方に延びて断面コの字形状に形成されたコの字形状部４２と、中間部４１より下方に延びてレセプタクルハウジング２０の左右方向外方に屈曲した固定部４３とを有している。固定金具４０の中間部４１には、図６に示すように、中間部４１の幅方向（レセプタクルハウジング２０の厚さ方向）に拡がった幅広部４１ａが形成されており、固定金具４０を固定金具取り付け溝２９内に上方から挿入すると、この幅広部４１ａが固定金具取り付け溝２９を横方向（レセプタクルハウジング２０の厚さ方向）に押し広げるようにして嵌まり込むようになっている。これにより固定金具４０はレセプタクルハウジング２０における相手方コネクタ（プラグ型コネクタ１１０）との結合部（プラグ部差込口２１）の長寸法方向に対向して位置する両（左右の）側壁２６，２６に固定される。
【００１３】
また、２つの固定金具４０を左右の側壁２６，２６に取り付けた状態では、各固定金具４０は、レセプタクルハウジング２０の側壁２６の外方を基板５０とは反対の方向（上方）に延びるとともに、上端部に形成されたコの字形状部４２において、レセプタクルハウジング２０の結合部（プラグ部差込口２１）の近傍位置を覆った状態となる。なお、この実施形態では、図３（Ａ）に示すように、コの字形状部４２の両切片４２ａ，４２ａは、前壁２２及び後壁２５の左右両端部表面から離間している（非接触の状態となっている）が、コの字形状部４２の両切片４２ａ，４２ａは前壁２２及び後壁２５の左右両端部表面と接触していても構わない。
【００１４】
このレセプタクル型コネクタ１０の基板５０上への取り付けは、先ず、レセプタクルハウジング２０の（ベース部２７の）下面から下方に突出して延びて設けられた２つの位置決め突起２８（図３（Ｂ），（Ｃ）参照）を基板５０に形成された位置決め穴（図示せず）に上方から挿入して基板５０上での位置決めを行った後、２つの固定金具４０の固定部４３を基板５０上の所定位置に半田付けすることにより行う。
【００１５】
図７は上記レセプタクル型コネクタ１０と組み合わせて用いられる相手方コネクタであるプラグ型コネクタ１１０を示している。このプラグ型コネクタ１１０は、レセプタクル型コネクタ１０の幅方向と対応するように横長に延びて設けられたプラグハウジング２０と、このプラグハウジング２０に結合された圧接カバー１３０と、プラグハウジング２０に保持された複数（ここではレセプタクル側コンタクト３０の数と同じで１０個）のプラグ側コンタクト１４０と、各プラグ側コンタクト１４０に圧接されてプラグハウジング２０及び圧接カバー１３０により保持された複数（ここではプラグ側コンタクト１４０の数と同じで１０本）の電線１５０とから構成されている。なお、プラグハウジング２０及び圧接カバー１３０は、樹脂等の電気絶縁性材料から構成されている。
【００１６】
プラグハウジング１２０にはレセプタクル型コネクタ１０の受容空間Ｓ内に挿着される突起状のプラグ部１２１が形成されており、このプラグ部１２１の一面側（図７では下面側に相当）には、この面と直交する方向、すなわち、プラグハウジング１２０とレセプタクルハウジング２０との係脱方向にほぼ直交して延びた複数の係止突起１２１ａが設けられている。
【００１７】
各プラグ側コンタクト１４０は金属等の導電性材料から構成されるとともに、図８及び図１３に示すように屈曲した形状を有しており、プラグ部１２１の他面側（図７では上面側に相当）に沿って延びる接触部１４１と、電線１５０が接続される電線接続部１４２とを有している。電線接続部１４２には図８及び図９に示すように電線１５０を圧接するための圧接溝１４３が設けられており、電線を圧接溝１４３に押し付けると（図９（Ａ）参照）、電線１５０の絶縁被覆１５２が圧接溝１４３の内縁により切り裂かれて芯線１５１が圧接溝１４３に接触するようになっている（図９（Ｂ）参照）。
【００１８】
電線１５０をプラグ側コンタクト１４０の圧接溝１４３内に圧接するには、先ず、図１０（Ａ）に示すように、１０本の電線１５０を全て並列状態で圧接溝１４３上に載置しておく。この際、電線１５０はプラグ型コネクタ１１０とは別部材として用意される治具１００により整列保持される。このようにして電線１５０が圧接溝１４３上に載置されたら、圧接カバー１３０をプラグハウジング２０に押し付ける。この際、圧接カバー１３０の左右の側部１３１がプラグハウジング１２０の左右の圧接カバー保持空間１２２内に上方から入り込むようにし、圧接カバー１３０の左右側部１３１に設けられた係止突起１３２をプラグハウジング２０の左右側部に設けられた窪み（図示せず）内に嵌入させる。これにより圧接カバー１３０はプラグハウジング２０に仮結合された状態となる（図１０（Ｂ）参照）。
【００１９】
圧接カバー１３０のプラグハウジング２０に対する仮結合が終わったら、圧接カバー１３０をプラグハウジング２０の上方から押し込む。これにより圧接カバー１３０に設けられた複数の圧入突起（図示せず）がプラグハウジング１２０に形成された圧入穴（図示せず）内に圧入され、圧接カバー１３０とプラグハウジング１２０とは強固に結合されるとともに、各電線１５０は圧接カバー１３０の下面により圧接溝１４３内に押圧される。これにより各電線１５０の絶縁被覆１５２は切り裂かれ、圧接溝１４３内に圧接される（図１０（Ｃ）参照）。
【００２０】
このような構成のプラグ型コネクタ１１０を、プラグ部１２１を下方に向けた状態で（図１１参照）レセプタクル型コネクタ１０のプラグ部差込口２１より差し込むと、プラグ部１２１はそのプラグ側コンタクト１４０によりレセプタクル型コネクタ１０のコンタクト４０を押し退けながら（弾性変形させながら）レセプタクル型コネクタ１０の内部、すなわち受容空間Ｓ内に入り込む。そして、プラグ部１２１に形成された複数（ここでは３つ）の係止突起１２１ａがレセプタクル型コネクタ１０の後壁２５に形成された複数（ここでは係止突起１２１ａの数と同じで３つ）の係止窪み２５ａ内に後壁２５の内側から嵌入（係合）したところでクリック感が得られるとともに、プラグ部１２１はレセプタクル型コネクタ１０内においてロックされ、プラグハウジング１２０とレセプタクルハウジング２０とは嵌合する。これによりプラグ型コネクタ１１０とレセプタクル型コネクタ１０とは結合状態となる（図１２及び図１３参照）。この状態ではプラグ側コンタクト１４０とレセプタクル側コンタクト３０とは接触しており（図１３参照）、両コネクタ１１０，１０は電気的に接続された状態となって、両コネクタ１１０，１０間における信号伝送が可能となる。
【００２１】
また、このように両コネクタ１１０，１０が結合した状態から両コネクタ１１０，１０を分離するには、プラグ型コネクタ１１０をレセプタクル型コネクタ１０から引き離せばよい。これによりプラグ型コネクタ１１０のプラグ部１２１に形成された各係止突起１２１ａはレセプタクル型コネクタ１０の後壁２５に形成された係止窪み２５ａから離脱する。そして、プラグ側コンタクト１４０とレセプタクル側コンタクト３０とは非接触状態となり、レセプタクル側コンタクト３０は弾性変形していた状態から元の状態（図４参照）に復帰する。なお、プラグ型コネクタ１１０のプラグ部１２１に形成された各係止突起１２１ａには、レセプタクル型コネクタ１０の後壁２５に形成された係止窪み２５ａへの係脱が容易となるように、レセプタクル型コネクタ１０との係脱方向に傾斜するテーパ面１２１ｂ、１２１ｃが設けられている（図１３参照）。
【００２２】
このように本実施形態に係るレセプタクル型コネクタ１０では、相手方コネクタであるプラグ型コネクタ１１０との結合部（プラグ部差込口２１）側から見たレセプタクルハウジング２０の長寸法方向（幅方向）に対向して位置する両側壁２６，２６それぞれに取り付けられてレセプタクルハウジング２０を基板５０に固定する固定金具４０が、レセプタクルハウジング２０の側壁２６の外方を基板５０とは反対の方向（上方）に延びるとともに、端部（上端部）に形成されたコの字形状部４２において、レセプタクルハウジング２０の結合部（プラグ部差込口２１）の近傍位置を覆っている。このため、プラグ型コネクタ１１０との係脱時に「ねじり」や「こじり」による曲げや捻り等の外荷重が作用したとしても、レセプタクルハウジング２０の結合部（プラグ部差込口２１）近傍位置は固定金具４０のコの字形状部４２に支持されることになるので、レセプタクルハウジング２０全体の変形量は小さく抑えられる。また、このような構成はレセプタクルハウジング２０のサイズアップを伴わないので、このレセプタクル型コネクタ１０を備える装置の大型化を防止すること、或いは装置の小型化を図ることができる。
【００２３】
これまで本発明の好ましい実施形態について説明してきたが、本発明の範囲は上述の実施形態に示したものに限定されない。例えば、上述の実施形態では、本発明に係る立設型コネクタ（レセプタクル型コネクタ１０）に設けられていたコンタクトの数は１０個であったが、これは一例に過ぎず、コンタクトの数は幾つであってもよい。また、本発明に係る立設型コネクタと組み合わせて用いられる相手方コネクタの構成は上述の実施形態において示した形態のものに限定されない。例えば、上述の実施形態では、相手方コネクタであるプラグ型コネクタは電線に接続されるタイプのコネクタであったが、この相手方コネクタも基板に接続されるタイプのコネクタであってもよい。また、上述の実施形態では、本発明に係る立設型コネクタが適用された例として基板に接続されたレセプタクル型コネクタが示されていたが、本発明に係る立設型コネクタは基板に接続されたプラグ型コネクタに適用することも可能である。
【図面の簡単な説明】
【００２４】
【図１】本発明に係る立設型コネクタの一実施形態としてのレセプタクル型コネクタの斜視図である。
【図２】図１における矢視IIから見た上記レセプタクル型コネクタの斜視図である。
【図３】（Ａ）は上記レセプタクル型コネクタの平面図、（Ｂ）は背面図、（Ｃ）は下面図である。
【図４】図３（Ｂ）における矢視IV−IVから見た上記レセプタクル型コネクタの断面図である。
【図５】図３（Ｂ）における矢視V−Vから見た上記レセプタクル型コネクタの斜視断面図である。
【図６】上記レセプタクル型コネクタにおいて、固定金具のみを分離して示す斜視図である。
【図７】上記レセプタクル型コネクタと組み合わせて用いられるプラグ型コネクタの斜視図である。
【図８】上記プラグ型コネクタにおけるコンタクト単体を、これに圧接される電線とともに示す斜視図である。
【図９】上記コンタクトの圧接溝に電線を圧接させる工程を説明する、図８における矢視IＸから見た図である。（Ａ）は圧接溝に電線を圧接させる前の状態、（Ｂ）は圧接溝に電線を圧接させた状態をそれぞれ示している。
【図１０】上記プラグ型コネクタの組み立て工程を（Ａ）→（Ｂ）→（Ｃ）の順で示す図である。
【図１１】上記レセプタクル型コネクタとプラグ型コネクタとを結合させる直前の状態を示す斜視図である。
【図１２】上記レセプタクル型コネクタとプラグ型コネクタとを結合させた状態を示す斜視図である。
【図１３】図１２における矢視XIII−XIIIから見た断面図である。
【符号の説明】
【００２５】
１０    レセプタクル型コネクタ（立設型コネクタ）
２０    レセプタクルハウジング（ハウジング）
２１    プラグ部差込口（相手方コネクタとの結合部）
２６    側壁
３０    レセプタクル側コンタクト
３２    弾性部
３３    接触部
４０    固定金具
４２    コの字形状部
４３    固定部
５０    基板
１１０  プラグ型コネクタ（相手方コネクタ）
【図１】
2006156019.tif 000003
【図２】
2006156019.tif 000004
【図３】
2006156019.tif 000005
【図４】
2006156019.tif 000006
【図５】
2006156019.tif 000007
【図６】
2006156019.tif 000008
【図７】
2006156019.tif 000009
【図８】
2006156019.tif 000010
【図９】
2006156019.tif 000011
【図１０】
2006156019.tif 000012
【図１１】
2006156019.tif 000013
【図１２】
2006156019.tif 000014
【図１３】
2006156019.tif 000015